(57)【要約】【課題】接続部が微細な電極構造を有する場合であっても、画像表示媒体と画像書込装置を確実に接続することのできる画像表示装置およびその接続部構造を提供すること。【解決手段】画像書込装置２は、本体部２６と、表示側接続端子１０を有する電極形成部２４とを有して概略構成される。電極形成部２４は、レール２５に沿って表示側接続端子１０の電極の幅方向に往復移動可能であり、さらに、表示側接続端子１０と書込側接続端子２０を接続するために画像表示媒体１の表面に対して垂直な方向に往復移動することができる。また、電極形成部２４は、画像表示媒体１のアライメント用マーク１２を検知する光センサ２２を有し、表示側接続端子１０と書込側接続端子２０の位置合わせを自動的に行うことができる。【選択図】図１
2007286244.tif 000002
【特許請求の範囲】
【請求項１】
メモリ性を有する画像表示媒体と、前記画像表示媒体に画像を書き込む画像書込装置と、
を電気的に接続する接続部構造において、
前記画像表示媒体側に設けられた複数の表示側電極と、
前記画像書込装置側に設けられ、前記複数の表示側電極に接触する複数の書込側電極を有する電極形成部と、
前記電極形成部を前記画像表示媒体の表面に垂直な方向に前記画像表示媒体に対して相対的に移動させ、前記複数の表示側電極に前記複数の書込側電極を押圧する昇降駆動部と、
前記昇降駆動部を制御する制御部と、
を備えたことを特徴とする接続部構造。
【請求項２】
前記電極形成部を前記画像表示媒体の表面に平行な方向に前記画像表示媒体に対して相対的に移動させ、前記複数の表示側電極と前記複数の書込側電極の前記画像表示媒体の表面に平行な方向の位置合わせを行う走査駆動部を備え、
前記制御部は、前記昇降駆動部および前記走査駆動部を制御することを特徴とする請求項１に記載の接続部構造。
【請求項３】
前記電極形成部は、前記画像表示媒体の表面に平行な方向の前記画像表示媒体に対する相対的な位置を検出する位置検知手段を有し、
前記制御部は、前記位置検知手段の検知結果に基づいて、前記走査駆動部を制御することを特徴とする請求項２に記載の接続部構造。
【請求項４】
前記位置検知手段は、光学式アライメント機構、機械式アライメント機構、磁気方式アライメント機構、または電気方式アライメント機構のいずれか１つ、または複数を組み合わせたものであることを特徴とする請求項３に記載の接続部構造。
【請求項５】
前記複数の表示側電極と前記複数の書込側電極は、互いに弾性的に接触する構造を有することを特徴とする請求項１に記載の接続部構造。
【請求項６】
前記弾性的に接触する構造は、前記複数の表示側電極と前記複数の書込側電極のうち、少なくとも一方は、一端を固定し、他端を自由にしたカンチレバー構造であることを特徴とする請求項５に記載の接続部構造。
【請求項７】
前記カンチレバー構造を有する前記複数の表示側電極または前記複数の書込側電極は、基板上に形成され、前記基板は、前記複数の表示側電極と前記複数の書込側電極の前記他端の直下およびその近傍に位置する部分に空間を有することを特徴とする請求項６に記載の接続部構造。
【請求項８】
前記複数の表示側電極と前記複数の書込側電極のうち、いずれか一方の表面に突起形状の微小接点が形成され、
前記複数の表示側電極と前記複数の書込側電極は、前記微小接点を介して導通されることを特徴とする請求項１に記載の接続部構造。
【請求項９】
前記微小接点は、弾性体であることを特徴とする請求項８に記載の接続部構造。
【請求項１０】
前記弾性体は、つるまきバネであることを特徴とする請求項９に記載の接続部構造。
【請求項１１】
前記微小接点は、１次元又は２次元のアレイ状に形成されていることを特徴とする請求項８に記載の接続部構造。
【請求項１２】
請求項１に記載の接続部構造を有することを特徴とする、前記画像表示媒体と前記画像書込装置から構成される画像表示装置。
【発明の詳細な説明】
【技術分野】
【０００１】
本発明は、画像を表示する表示部と表示部に画像を書き込む書込部が接続部において着脱可能な画像表示装置およびその接続部構造に関する。
【背景技術】
【０００２】
従来の画像表示装置として、着脱可能な表示体と書き込み機とを有して構成され、表示体の接続部の電極位置を検知するための接続検知部を書き込み機が有するものがある（例えば、特許文献１参照）。
【０００３】
この画像表示装置は、画像を表示する表示体と、表示体に画像を書き込む書き込み機とから構成され、表示体と書き込み機は各々の接続部において互いに接続される。表示体の接続部の電極数は、書き込み機の接続部の電極数よりも多く、書き込み機は表示体の接続部の電極位置を検知する接続検知部を有する。また、表示体の表示部分を複数のブロックに分割して使用する構成を有する。
【０００４】
この画像表示装置によると、表示体の接続部の電極数は、書き込み機の接続部の電極数よりも多く、書き込み機は表示体の接続部の電極位置を検知する接続検知部を有することにより、表示部と書き込み機を接続する際に、双方の電極のピッチのみを合わせれば、絶対位置を合わせなくても、画像を書き込むことができる。また、表示体の表示部分を複数のブロックに分割して使用する構成を有し、複数のブロック間で電極線を共通に用いることができるため、電極数を少なくし、表示部と書き込み機の接続を容易にすることができる。
【特許文献１】特開２０００−５６７０５号公報
【発明の開示】
【発明が解決しようとする課題】
【０００５】
しかし、この画像書込装置によると、表示体と書き込み機を接続する際に、双方の電極のピッチを手動で合わせる必要があるため、接続部が微細な電極構造を有する場合には接続が困難になるという問題がある。
【０００６】
したがって、本発明の目的は、接続部が微細な電極構造を有する場合であっても、画像表示媒体（表示体）と画像書込装置（書き込み機）を確実に接続することのできる画像表示装置およびその接続部構造を提供することにある。
【課題を解決するための手段】
【０００７】
上記目的を達成するため、本発明の一態様は、以下の画像表示装置及び接続部構造を提供する。
【０００８】
［１］メモリ性を有する画像表示媒体と、前記画像表示媒体に画像を書き込む画像書込装置と、を電気的に接続する接続部構造において、前記画像表示媒体側に設けられた複数の表示側電極と、前記画像書込装置側に設けられ、前記複数の表示側電極に接触する複数の書込側電極を有する電極形成部と、前記電極形成部を前記画像表示媒体の表面に垂直な方向に前記画像表示媒体に対して相対的に移動させ、前記複数の表示側電極に前記複数の書込側電極を押圧する昇降駆動部と、前記昇降駆動部を制御する制御部と、を備えたことを特徴とする接続部構造。
【０００９】
なお、前記画像表示媒体の表面に垂直な方向とは、厳密な垂直方向に限られず、垂直成分を有する方向であればこれに含まれる。
【００１０】
前記［１］によれば、端子数の多い接続部を形成することができる。従来の抜き差し型の接続構造は、メスコネクタがオスコネクタに接圧を加えて固定し、導通させる構造であるが、抜き差しの際に摩擦力がかかり、電極数の増加に伴って抜き差しに必要な力が増加するため、電極数には限界があったところ、前記［１］に係る接続部構造は、抜き差しではなく、垂直方向の力により押し当てるため、電極数が増加しても接続に要する力はほとんど影響を受けないことによる。また、それにより、画像表示媒体に駆動ＩＣ等を設けて接続部における電極数を減らす必要がなくなるため、製造コストを抑えることができる。
【００１１】
［２］前記電極形成部を前記画像表示媒体の表面に平行な方向に前記画像表示媒体に対して相対的に移動させ、前記複数の表示側電極と前記複数の書込側電極の前記画像表示媒体の表面に平行な方向の位置合わせを行う走査駆動部を備え、前記制御部は、前記昇降駆動部および前記走査駆動部を制御することを特徴とする前記［１］に記載の接続部構造。これにより、画像表示媒体の画像書込装置に対する相対位置を一度固定した後に、複数の表示側電極と複数の書込側電極の相対位置を調整することができる。
【００１２】
［３］前記電極形成部は、前記画像表示媒体の表面に平行な方向の前記画像表示媒体に対する相対的な位置を検出する位置検知手段を有し、前記制御部は、前記位置検知手段の検知結果に基づいて、前記走査駆動部を制御することを特徴とする前記［２］に記載の接続部構造。これにより、接続部が微細な電極構造を有する場合であっても、複数の表示側電極と複数の書込側電極を確実に接続することができる。
【００１３】
［４］前記位置検知手段は、光学式アライメント機構、機械式アライメント機構、磁気方式アライメント機構、または電気方式アライメント機構のいずれか１つ、または複数を組み合わせたものであることを特徴とする前記［３］に記載の接続部構造。
【００１４】
光学式アライメント機構は、光反射率の変化を検知する光センサ等を有してなる機構であり、機械式アライメント機構は、対象表面の凹凸を検知する変位センサ等を有してなる機構であり、磁気方式アライメント機構は、磁界の変化を検知する磁気センサ等を有してなる機構であり、電気方式アライメント機構は、電流の変化を検知する電流センサ、電圧の変化を検知する電圧センサ等を有してなる機構である。
【００１５】
［５］前記複数の表示側電極と前記複数の書込側電極は、互いに弾性的に接触する構造を有することを特徴とする前記［１］に記載の接続部構造。これにより、より確実に複数の表示側電極と複数の書込側電極を接続することができる。
【００１６】
［６］前記弾性的に接触する構造は、前記複数の表示側電極と前記複数の書込側電極のうち、少なくとも一方は、一端を固定し、他端を自由にしたカンチレバー構造であることを特徴とする前記［５］に記載の接続部構造。
【００１７】
［７］前記カンチレバー構造を有する前記複数の表示側電極または前記複数の書込側電極は、基板上に形成され、前記基板は、前記複数の表示側電極と前記複数の書込側電極の前記他端の直下およびその近傍に位置する部分に空間を有することを特徴とする前記［６］に記載の接続部構造。
【００１８】
［８］前記複数の表示側電極と前記複数の書込側電極のうち、いずれか一方の表面に突起形状の微小接点が形成され、前記複数の表示側電極と前記複数の書込側電極は、前記微小接点を介して導通されることを特徴とする前記［１］に記載の接続部構造。これにより、より確実に複数の表示側電極と複数の書込側電極を接続することができる。
【００１９】
［９］前記微小接点は、弾性体であることを特徴とする前記［８］に記載の接続部構造。
【００２０】
［１０］前記弾性体は、つるまきバネであることを特徴とする前記［９］に記載の接続部構造。
【００２１】
［１１］前記微小接点は、１次元又は２次元のアレイ状に形成されていることを特徴とする前記［８］に記載の接続部構造。
【００２２】
［１２］前記［１］に記載の接続部構造を有することを特徴とする、前記画像表示媒体と前記画像書込装置から構成される画像表示装置。
【発明の効果】
【００２３】
本発明によれば、接続部が微細な電極構造を有する場合であっても、画像表示媒体と画像書込装置を確実に接続することのできる画像表示装置およびその接続部構造を提供することができる。
【発明を実施するための最良の形態】
【００２４】
［第１の実施の形態］
（画像表示媒体および画像書込装置の構成）
図１は、本発明の第１の実施の形態に係る画像表示媒体と画像書込装置の接続部構造を示す斜視図である。この接続部構造は、画像表示媒体１の表示側接続端子１０と画像書込装置２の書込側接続端子２０を電気的に接続するための構造を有する。
【００２５】
画像書込装置２は、本体部２６と、表示側接続端子１０を有する電極形成部２４とを有して概略構成される。電極形成部２４は、レール２５に沿って表示側接続端子１０の電極の幅方向（長手方向と直角な方向）に往復移動可能であり、さらに、画像表示媒体１の表面に対して垂直な方向に往復移動することができる。
【００２６】
画像書き込みの際には、画像表示媒体１は、画像書込装置２の本体部２６の上に設置される。画像書込装置２の本体部２６は、画像表示媒体１の設置位置を概略的に決めるための位置決めブロック２７を有する。位置決め用ブロック２７は、画像表示媒体１の角部を突き当てて用いるが、左右両方の角部を突き当てるように２つ設けられてもよく、左右どちらか一方の角部を突き当てるように１つ設けられてもよい。
【００２７】
図２は、画像表示媒体の表示側接続端子周辺を拡大して示す平面図である。複数の表示側電極１１ａからなる表示側接続端子１０と、並置された２つのアライメント用マーク１２が書込側基板１３上に形成されている。
【００２８】
表示側電極１１ａは、例えば、ニッケル、タングステン、クロム、チタン、タンタル等の導電材料からなる。
【００２９】
アライメント用マーク１２は、アライメント用マーク１２に隣接する部分（例えば、書込側基板１３の表面）と異なる光反射率を有する材料からなる。
【００３０】
図３は、画像書込装置の書込側接続端子周辺を拡大して示す平面図である。電極形成部２４は、書込側基板２３上に、突起形状の微小接点２１ｂを表面に有する複数の書込側電極２１ａからなる書込側接続端子２０と、画像表示媒体１のアライメント用マーク１２を検知する光センサ２２とを有して構成される。
【００３１】
書込側電極２１ａ、および微小接点２１ｂは、例えば、ニッケル、タングステン、クロム、チタン、タンタル等の弾性がある金属薄膜からなる。
【００３２】
光センサ２２は、アライメント用マーク１２と、アライメント用マーク１２に隣接する部分との反射率の差を検知することができる。
【００３３】
図４は、図３に示した電極形成部をＡ−Ａ’で切断した場合の断面図である。
【００３４】
書込側電極２１ａは、支台２１ｃの上に形成され、支台２１ｃを支台としたカンチレバー構造を構成している。これにより、書込側電極２１ａが、書込側電極２１ａの面に垂直な方向に成分を持つ力に対してバネとして働き、表示側電極１１ａと書込側電極２１ａを電気的に接続する際、微小接点２１ｂを表示側電極１１ａに押圧する。
【００３５】
表示側電極１１ａと書込側電極２１ａの本数は同数であり、互いに対応した位置に配置され、接続を行う際に、全ての電極が１対１で接続される。表示側電極１１ａと書込側電極２１ａの本数は、画像表示媒体１の画像表示に必要な電極（後述する第１および第２の電極１４、１５）の総数に応じた数であり、画像表示媒体１の画像表示に必要な電極の総数と同数であってもよいし、異なる数（例えば、画像表示媒体１が駆動ＩＣを有する場合には、駆動ＩＣの数に対応した本数）であってもよい。
【００３６】
また、図２に示すように、画像表示媒体１の２つのアライメント用マーク１２の中間位置と、アライメント用マーク１２から最も近い表示側電極１１ａの中心線との、表示側電極１１ａの長手方向と直角な方向に沿った距離をＬ１として、図３に示すように、電極形成部２４の光センサ２２の中心と、光センサ２２から最も近い書込側電極２１ａの中心線との、書込側電極２１ａの長手方向と直角な方向に沿った距離Ｌ２とすると、Ｌ１とＬ２は等しいことが好ましい。
【００３７】
図５は、画像表示媒体および画像書込装置の全体構成図である。
【００３８】
画像表示媒体１は、液晶等からなる表示層（図示しない）を挟んで対向配置された、第１および第２の電極１４、１５と、画像書込装置２の書込側接続端子２０と電気的に接続され、画像書込装置２から送信された電気信号を第１および第２の電極１４、１５に伝える表示側接続端子１０とを有して概略構成される。
【００３９】
画像表示媒体１は、表示画像を無電源で保持することのできるメモリ性を有する表示媒体、例えば、液晶方式、フォトクロミック方式、エレクトロクロミック方式、トナーディスプレイ方式、電気泳動方式、ツイストボール方式等の電子ペーパーの表示部であり、表示層は、画像表示媒体１の種類により、それぞれ液晶、クロミック材料、着色粒子等を有する層からなる。
【００４０】
第１および第２の電極１４、１５は、厚さ５０ｎｍ程度の導電性を有する材料からなるが、第１の電極１４は表示側に位置するため、酸化インジウム錫（ＩＴＯ）、酸化亜鉛等の透明材料から形成されることが好ましい。
【００４１】
本実施の形態においては、画像表示媒体１は単純マトリックス方式により駆動する表示媒体であり、第１および第２の電極１４、１５は、互いに直交する複数の帯状電極の形態を有するが、画像表示媒体１の駆動方式の種類により、例えば、一方が全面電極で他方が画素電極の形態、両方が全面電極の形態、一方が信号電極で他方が信号電極上を移動することにより走査する線電極の形態を有するものであってもよい。
【００４２】
画像書込装置２は、画像表示媒体１のアライメント用マーク１２を検知する光センサ２２と、レール２５を有して構成され、電極形成部２４をレール２５に沿って走査させる走査駆動部２８と、電極形成部２４を画像表示媒体１の表面に垂直な方向に沿って昇降させる昇降駆動部２９と、画像表示媒体１の表示側接続端子１０と電気的に接続される書込側接続端子２０と、書込側接続端子２０を介して画像表示媒体１の第１および第２の電極１４、１５にデータ信号および走査信号を送信し、表示層に電圧を印加する電圧印加部３０と、光センサ２２の検知結果に基づいて走査駆動部を制御し、また、画像記憶部３２に記憶されている画像データに基づいて電圧印加部３０を制御する制御部３１と、を有して概略構成される。
【００４３】
制御部３１は、ＣＰＵ、ＲＯＭ、ＲＡＭ、走査信号発生回路等を備えて構成されている。ＣＰＵは、ＲＯＭに格納された制御プログラムに従って各部の制御を行う。なお、画像記憶部３２は、ＨＤＤやＲＡＭ等により構成されるが、ＣＤ−ＲＯＭや書き替え可能なフラッシュメモリ等の記録媒体、あるいはＬＡＮ等のネットワークを介して画像データを入力する形態であってもよい。
【００４４】
（画像表示媒体および画像書込装置の接続動作）
まず、画像書込装置２の本体部２６上に、画像表示媒体１を表示側接続端子１０が画像書込装置２の書込側接続端子２０と、互いに向き合うように置く。この際に、画像表示媒体１の角部を画像書込装置２の位置決めブロック２７に突き当てることにより、概略的な位置決めを行い、固定する。
【００４５】
次に、例えば書込スイッチを押す等のユーザによる画像書き込み指示等をトリガとして、制御部３１の制御により、画像書込装置２の電極形成部２４がレール２５に沿って表示側電極１１ａの幅方向に走査し、光センサ２２によりアライメント用マーク１２を読み取り、表示側電極１１ａと書込側電極２１ａとの位置合わせを行う。以下に位置合わせについて具体的に説明する。
【００４６】
図６（ａ）は、表示側電極と書込側電極の位置合わせの様子を示す側面図である。同図は、表示側電極１１ａおよび書込側電極２１ａの長手方向から見た側面図である。また、図６（ｂ）は、図６（ａ）に対応した光センサの検知位置と、光反射率の関係を示すグラフである。
【００４７】
電極形成部２０５と画像表示媒体１との間隔を一定に保ちながら、電極形成部２０５を表示側電極１１ａおよび書込側電極２１ａの幅方向（紙面に平行な方向）に走査させ、光センサ２２により、光センサ２２の直下に位置する対象の光反射率を測定する。
【００４８】
光センサ２２が２つのアライメント用マーク１２上を通過する際、アライメント用マーク１２が表示側基板１３よりも高い光反射率を有するため、図６（ｂ）に示すように、アライメント用マーク１２の存在する２つの位置に光反射率のピークが現れる。この２つの光反射率のピークの中間の光反射率の谷を検知し、その光反射率が谷となる位置（２つのアライメント用マーク１２の中間の直上）に電極形成部２４を停止させる。続けて、電極形成部２４を画像表示装置１の表面に垂直な方向に移動させ、表示側電極１１ａと書込側電極２１ａを接触させる。
【００４９】
光センサ２２が２つのアライメント用マーク１２の中間の位置を検知する位置において、表示側電極１１ａと書込側電極２１ａの画像表示媒体１の表面に平行な方向の位置が一致する構成とすることにより、自動的に表示側電極１１ａと書込側電極２１ａの位置合わせを行うことができる。
【００５０】
図７は、表示側電極と書込側電極が接続された様子を示す上面図である。また、図８は、図７に示した表示側電極と書込側電極をＢ−Ｂ’で切断した場合の断面図である。
【００５１】
表示側電極１１ａと書込側電極２１ａは、書込側電極２１ａの表面に形成された微小接点２１ｂを介して導通される。微小接点２１ｂが突起形状を有することにより、表示側電極１１ａと書込側電極２１ａとの接触を容易にし、電気的接続を確実にすることができる。また、書込側電極２１ａが支台２１ｃを支台としたカンチレバー構造を有するため、表示側電極１１ａと微小接点２１ｂが接触する際に書込側電極２１ａが弾性変形し、より確実に表示側電極１１ａと書込側電極２１ａを電気的に接続することができる。
【００５２】
その後、表示側接続端子１０（表示側電極１１ａ）と書込側接続端子２０（書込側電極２１ａ）を介して、画像書込装置２の電圧印加部３０から画像表示媒体１の第１および第２の電極１４、１５にデータ信号および走査信号が送信され、画像表示媒体１に画像が書き込まれる。画像が書き込まれた後は、自動的に、またはスイッチを押す等のユーザからの指示等をトリガとして、制御部３１の制御により、電極形成部２４が画像表示媒体１の表面に垂直な方向に離れるように移動し、表示側電極１１ａと書込側電極２１ａの接続を解く。画像表示媒体１はメモリ性を有するため、無電源で表示画像を保持することができ、ユーザは画像が表示された画像表示媒体１を画像書込装置２から取り外し、自由に移動させることができる。
【００５３】
（第１の実施の形態の効果）
この第１の実施の形態によれば、表示側電極２１ａと書込側電極２１ａの電気的接続を抜き差しではなく、垂直方向の力により押し当てることにより行うため、接続部における電極数が増加しても接続に大きな力を要さない。
【００５４】
また、光センサにより表示側電極１１ａと書込側電極２１ａの位置合わせを自動的に行うことにより、接続部が微細な電極構造を有する場合であっても、確実に接続することができる。
【００５５】
また、上記の効果により、画像表示媒体に駆動ＩＣ等を設けて接続部における電極数を減らす必要がなくなるため、製造コストを抑えることができる。
【００５６】
［第２の実施の形態］
図９は、本発明の第２の実施の形態に係る電極形成部の側面図である。第２の実施の形態は、書込側電極２１ａの表面に形成された微小接点２１ｂの構成において第１の実施の形態と異なる。他の構成や、画像表示媒体１および画像書込装置２の接続動作等、第１の実施の形態と同様の点については、説明を省略する。
【００５７】
本実施の形態に係る微小接点２１ｂは、つるまきバネからなり、微小接点２１ｂが表示側電極１１ａに接触する際に弾性変形し、より確実に表示側電極１１ａと書込側電極２１ａを電気的に接続することができる。
【００５８】
微小接点２１ｂは、例えば、ニッケル、タングステン、クロム、チタン、タンタル等の金属から形成される。なお、微小接点２１ｂは、断面が円となる線状の材料を巻いたものに限られず、例えば、平面的な材料を巻いた構成であってもよい。また、弾性変形するものであれば、つるまきバネに限られない。
【００５９】
（第２の実施の形態の効果）
この第２の実施の形態によれば、微小接点２１ｂがつるまきバネからなることにより、微小接点２１ｂが表示側電極１１ａに接触する際に弾性変形し、書込側電極２１ａのカンチレバー構造の効果と併せることにより、より確実に表示側電極１１ａと書込側電極２１ａを電気的に接続することができる。
【００６０】
［第３の実施の形態］
図１０は、本発明の第３の実施の形態に係る電極形成部の斜視図である。第３の実施の形態は、書込側電極２１ａのカンチレバー構造の構成において第１の実施の形態と異なる。他の構成や、画像表示媒体１および画像書込装置２の接続動作等、第１の実施の形態と同様の点については、説明を省略する。
【００６１】
本実施の形態においては、書込側基板２３を書込側電極２１ａのカンチレバー構造の支台として利用している。具体的には、書込側基板２３の、書込側電極２１ａの端部の直下およびその近傍に位置する部分に空間を設け、表示側電極１１ａと微小接点２１ｂが接触する際に書込側電極２１ａが書込側基板２３の縁を支台として弾性変形する。
【００６２】
なお、上記の書込側基板２３の空間は、図１０に示したような形状に限られない。図１０に示すように、数本の書込側電極２１ａごとに空間が設けられてもよいし、全ての書込側電極２１ａに対して１つの空間が設けられてもよく、また、書込側基板２３が図１０に示すような枠を有さない形状であってもよい。
【００６３】
（第３の実施の形態の効果）
この第３の実施の形態によれば、第１の実施の形態と同様の効果を得ることができる。
【００６４】
［第４の実施の形態］
第４の実施の形態は、表示側電極１１ａと書込側電極２１ａの構成および配置構成において第１の実施の形態と異なる。本実施の形態に係る画像表示媒体１は、１０２４×７６８画素表示を行うものであり、第１および第２の電極１４、１５の一方が１０２４本、他方が７６８本存在するため、表示側電極１１ａと書込側電極２１ａは、それぞれ１０２４と７６８の合計である１７９２本存在する。なお、他の構成や、画像表示媒体１および画像書込装置２の接続動作等、第１の実施の形態と同様の点については、説明を省略する。
【００６５】
図１１は、本発明の第４の実施の形態に係る画像表示媒体の表示側接続端子周辺を拡大して示す平面図である。表示側電極１１ａは、書込側電極２１ａ表面の微小接点２１ｂと接触するパッドとなる正方形の先端部分と、先端部分から第１および第２の電極１４、１５に繋がる細線部分とからなる。このような構造とすることにより、書込側電極２１ａを、パッドとなる先端部分が２次元のアレイ状に配置される構成とすることができる。
【００６６】
本実施の形態においては、パッドとなる先端部分が連なるようにして配置した１６本の書込側電極２１ａを一組として、その組を１１２組並置することにより、１７９２本の書込側電極２１ａを配置している。
【００６７】
ここで、パッドとなる先端部分が８０μｍ角の正方形であり、上記の一組においてパッドとなる先端部分が１００μピッチで１６個配置され、その組が５６０μｍピッチで１１２組並置されているとすれば、接続部を、約１．６ｍｍ×６２ｍｍの面積内に納めることができる。
【００６８】
図１２は、画像書込装置の書込側接続端子周辺を拡大して示す平面図である。書込側電極２１ａは、表示側電極１１ａと同様に、微小接点２１ｂの支持台となる正方形の先端部分と、細線部分とからなる。先端部分は、表面に微小接点２１ｂを有し、表示側電極１１ａの配置構成に対応して配置される。
【００６９】
図１３は、書込側電極の先端部分の拡大図である。支持台となる先端部分の表面に形成された微小接点２１ｂはつるまきバネからなり、微小接点２１ｂが表示側電極１１ａに接触する際に弾性変形し、より確実に表示側電極１１ａと書込側電極２１ａを電気的に接続することができる。なお、微小接点２１ｂは、弾性変形するものであれば、つるまきバネに限られない。
【００７０】
なお、表示側電極１１ａと書込側電極２１ａ先端部分の形状、大きさ、配置構成等は上記と異なるものであってもよい。
【００７１】
（第４の実施の形態の効果）
この第４の実施の形態によれば、表示側電極１１ａと書込側電極２１ａを、先端部分と細線部分からなる構成とすることにより、先端部分を２次元のアレイ状に配置することができ、画像表示媒体１が多数の電極を有するために接続部が微細な電極構造を有する場合であっても、表示側電極１１ａと書込側電極２１ａを確実に接続することができる。
【００７２】
［第５の実施の形態］
第５の実施の形態は、画像書込装置２の書込側接続端子２０ａが支台２１ｃの上に形成され、支台２１ｃを支台としたカンチレバー構造を構成している点において、第４の実施の形態と異なる。なお、他の構成や、画像表示媒体１および画像書込装置２の接続動作等、第１の実施の形態と同様の点については、説明を省略する。
【００７３】
図１４は、書込側電極の先端部分の拡大図である。図１４は書込側接続端子２０ａを図１３と同じ方向から見た図である。微小接点２１ｂの配置構成は、第４の実施の形態の微小接点２１ｂの配置構成と同じであり、図１１に示した画像表示媒体１の表示側電極１１ａの配置構成に対応する。
【００７４】
なお、支台２１ｃの形状は図１３に示したものに限られず、また、微小接点２１ｂはつるまきバネ等からなるものであってもよい。また、カンチレバーの形成される水平方向の角度も図１４に示したものに限られない。
【００７５】
（第５の実施の形態の効果）
この第５の実施の形態によれば、第４の実施の形態と同様の効果を得ることができ、また、書込側接続端子２０ａが支台２１ｃの上に形成され、支台２１ｃを支台としたカンチレバー構造を構成しているため、より確実に表示側電極１１ａと書込側電極２１ａを電気的に接続することができる。
【００７６】
なお、本発明は、上記各実施の形態に限定されず、その発明の趣旨を逸脱しない範囲で種々と変形実施が可能である。例えば、上記各実施の形態においては、光学式アライメント機構を用いる場合について説明したが、機械方式アライメント機構、磁気方式アライメント機構、電気方式アライメント機構等、他の方式であってもよい。また、アライメント機構は接触、非接触を問わない。
【００７７】
また、上記各実施の形態においては、カンチレバー構造は書込側電極２１ａが有するものとして説明したが、表示側電極１１ａが有するものであってもよく、また、表示側電極１１ａと書込側電極２１ａの両者が有するものであってもよい。また、微小接点２１ｂは書込側電極２１ａの表面に設けられるものとして説明したが、表示側電極１１ａの表面に設けられるものであってもよい。
【００７８】
また、上記各実施の形態の構成要素を発明の趣旨を逸脱しない範囲で任意に組み合わせることができる。
【図面の簡単な説明】
【００７９】
【図１】本発明の第１の実施の形態に係る画像表示媒体と画像書込装置の接続部構造を示す斜視図である。
【図２】本発明の第１の実施の形態に係る画像表示媒体の表示側接続端子周辺を拡大して示す平面図である。
【図３】本発明の第１の実施の形態に係る画像書込装置の書込側接続端子周辺を拡大して示す平面図である。
【図４】本発明の第１の実施の形態に係る電極形成部の断面図である。
【図５】本発明の第１の実施の形態に係る画像表示媒体および画像書込装置の全体構成図である。
【図６】（ａ）は、本発明の第１の実施の形態に係る表示側電極と書込側電極の位置合わせの様子を示す側面図であり、（ｂ）は、光センサの検知位置と光反射率の関係を示すグラフである。
【図７】本発明の第１の実施の形態に係る表示側電極と書込側電極が接続された様子を示す上面図である。
【図８】本発明の第１の実施の形態に係る表示側電極と書込側電極が接続された様子を示す断面図である。
【図９】本発明の第２の実施の形態に係る電極形成部の側面図である。
【図１０】本発明の第３の実施の形態に係る電極形成部の斜視図である。
【図１１】本発明の第４の実施の形態に係る画像表示媒体の表示側接続端子周辺を拡大して示す平面図である。
【図１２】本発明の第４の実施の形態に係る画像書込装置の書込側接続端子周辺を拡大して示す平面図である。
【図１３】本発明の第４の実施の形態に係る書込側電極の先端部分の拡大図である。
【図１４】本発明の第５の実施の形態に係る書込側電極の先端部分の拡大図である。
【符号の説明】
【００８０】
１    画像表示媒体
１０    表示側接続端子
１１ａ    表示側電極
１２    アライメント用マーク
１３    表示側基板
１４    第１の電極
１５    第２の電極
２    画像書込装置
２０    書込側接続端子
２１ａ    書込側電極
２１ｂ    微小接点
２１ｃ    支台
２２    光センサ
２３    書込側基板
２４    電極形成部
２５    レール
２６    本体部
２７    位置決めブロック
２８    走査駆動部
２９    昇降駆動部
３０    電圧印加部
３１    制御部
３２    画像記憶部
【図１】
2007286244.tif 000003
【図２】
2007286244.tif 000004
【図３】
2007286244.tif 000005
【図４】
2007286244.tif 000006
【図５】
2007286244.tif 000007
【図６】
2007286244.tif 000008
【図７】
2007286244.tif 000009
【図８】
2007286244.tif 000010
【図９】
2007286244.tif 000011
【図１０】
2007286244.tif 000012
【図１１】
2007286244.tif 000013
【図１２】
2007286244.tif 000014
【図１３】
2007286244.tif 000015
【図１４】
2007286244.tif 000016